(57)【要約】【課題】本発明は、組立性が良好な摩擦体を具備した回転繰出式筆記具を提供する。【解決手段】本発明は、軸筒本体内に熱変色性レフィルを摺動自在に配設した回転繰出式筆記具であって、前記摺動ケースと繰り出しカムとが、前記繰り出しカム内に設けた内向突起を、前記摺動ケースの後端部に設けた延設部の外向突起が乗り越えて、前記繰り出しカムに対し、前記摺動ケースを回動自在に配設するとともに、前記保持部材の前端部に設けた挿入部が前記摺動ケースの延設部内に挿通し、前記繰り出しカムの後端部と、前記保持部材とを装着したことを特徴とする。【選択図】図２
2015033773.tif 000002
【特許請求の範囲】
【請求項１】
インキ収容筒内に熱変色性インキを収容し、前記インキ収容筒の前端部に前記熱変色性インキが吐出可能なペン先を、直接、またはペン先ホルダーを介して装着してなる熱変色性筆記具用レフィルを、前軸と後軸とを有する軸筒本体内に、摺動自在に配設し、前記後軸内に、摺動溝を設けた摺動ケースと、後軸を前軸に対して回動することで摺動ケースの外周面上を回転可能な繰り出しカムとを有し、前記摺動溝に、前記筆記具用レフィルに連動して摺動する摺動体を配設するとともに、前記後軸の後端部に、保持部材を介して弾性を有する摩擦体を具備してなる回転繰出式筆記具であって、前記摺動ケースと繰り出しカムとが、前記繰り出しカム内に設けた内向突起を、前記摺動ケースの後端部に設けた延設部の外向突起が乗り越えて、前記繰り出しカムに対し、前記摺動ケースを回動自在に配設するとともに、前記保持部材の前端部に設けた挿入部が前記摺動ケースの延設部内に挿通し、前記繰り出しカムの後端部と、前記保持部材とを装着したことを特徴とする回転繰出式筆記具。
【請求項２】
前記繰り出しカムの延設部に、後端から長手方向に沿って延びるスリットを設けたことを特徴とする請求項１に記載の回転繰出式筆記具。
【請求項３】
前記保持部材が、繰り出しカムの後端部内に設けた雌ねじ部と、前記保持部材の側面に設けた雄ねじ部とを着脱自在に螺着してあることを特徴とする請求項１または２に記載の回転繰出式筆記具。
【発明の詳細な説明】
【技術分野】
【０００１】
本発明は、後軸を前軸に対して回動することで筆記具用レフィルのペン先を出没可能な回転繰出式筆記具に関する。
【背景技術】
【０００２】
従来から筆記具用レフィルのペン先を選択的に出没可能な多芯筆記具はよく知られている。こうした多芯筆記具においては、例えば、特開２００２−２９３０８８号公報「複式筆記具」では、筆記具用レフィルの後端部に装着した尾栓を摺動コマ（摺動体）に着脱自在に連接した回転繰出式の多芯筆記具を、実開平４−１１１４８９号公報「シャープペンシルとボールペンの多芯筆記具」では、摺動体の連接部を筆記具用レフィルのインキ収容筒とを着脱自在に連接したスライド式の多芯筆記具が開示されている。
【０００３】
前記した多芯筆記具において、本願出願人は、特開２０１３−４９１９２号公報「多芯筆記具」で、複数の熱変色性筆記具用レフィルを配設し、軸筒の後部に、頭冠を装着し、前記頭冠に、前記筆記体の筆跡を変色又は消去するゴム状弾性を有する弾性部を設けた多芯筆記具を開示している。
【０００４】
ところで、回転繰出式の筆記具においては、特開２０１２−２２３９６４号公報「回転繰出式の筆記具」に開示のように、摺動ケース内の内向突起を繰り出しカムの小径部の鍔部（凸部）が乗り越すことで、摺動ケースに対し、繰り出しカムを回動自在、且つ長手方向に位置ずれしないように嵌合している。
【先行技術文献】
【特許文献】
【０００５】
【特許文献１】特開２００２−２９３０８８号公報
【特許文献２】実開平４−１１１４８９号公報
【特許文献３】特開２０１３−４９１９２号公報
【特許文献４】特開２０１２−２２３９６４号公報
【発明の開示】
【発明が解決しようとする課題】
【０００６】
しかし、特許文献４のように、摺動ケースと繰り出しカムとを回動自在、且つ長手方向に位置ずれしないように連接するには、弾性変形部を設ける等、構造が複雑となるとともに、特許文献３のように、軸筒の後部に、頭冠及び摩擦体を装着すると、全長が長くなる問題あった。
【０００７】
本発明は、前記従来の問題点を解決するものであって、組立性が良好な摩擦体を具備した回転繰出式筆記具を提供しようとするものである。
【課題を解決するための手段】
【０００８】
上記目的を達成するために、本発明は、第１に、インキ収容筒内に熱変色性インキを収容し、前記インキ収容筒の前端部に前記熱変色性インキが吐出可能なペン先を、直接、またはペン先ホルダーを介して装着してなる熱変色性筆記具用レフィルを、前軸と後軸とを有する軸筒本体内に、摺動自在に配設し、前記後軸内に、摺動溝を設けた摺動ケースと、後軸を前軸に対して回動することで摺動ケースの外周面上を回転可能な繰り出しカムとを有し、前記摺動溝に、前記筆記具用レフィルに連動して摺動する摺動体を配設するとともに、前記後軸の後端部に、保持部材を介して弾性を有する摩擦体を具備してなる回転繰出式筆記具であって、前記摺動ケースと繰り出しカムとが、前記繰り出しカム内に設けた内向突起を、前記摺動ケースの後端部に設けた延設部の外向突起が乗り越えて、前記摺動ケースに対し、前記繰り出しカムを回動自在に配設するとともに、前記保持部材の前端部に設けた挿入部が前記摺動ケースの延設部内に挿通し、前記繰り出しカムの後端部と、前記保持部材とを装着したことを特徴とする。尚、本発明で、「前」とは、ペン先側を指し、「後」とは、その反対側を指す。
【０００９】
前記第１の構成によれば、前記摺動ケースと繰り出しカムとが、前記繰り出しカム内に設けた内向突起を、前記摺動ケースの後端部に設けた延設部の外向突起が乗り越えて、前記摺動ケースに対し、前記繰り出しカムを回動自在に配設するとともに、前記保持部材の前端部に設けた挿入部が前記摺動ケースの延設部内に挿通し、前記繰り出しカムの後端部と、前記保持部材とを装着することで、繰り出しカムと摺動ケースが嵌合した後には、保持部材の挿入部によって、摺動ケースの延設部が内側に撓むことを防止しているため、組立性が容易で、且つ摺動ケースを外れ難くすることができる。
【００１０】
第２に、前記摺動ケースの延設部に、後端から長手方向に沿って延びるスリットを設けたことを特徴とする。
【００１１】
前記第２の構成によれば、前記摺動ケースの延設部に、後端から長手方向に沿って延びるスリットを設けることで、前記摺動ケースの後端部に設けた延設部の外向突起が前記繰り出しカム内に設けた内向突起を乗り越える際、前記延設部が内方に撓み易く、容易に摺動ケースと繰り出しカムを嵌合することができる。
【００１２】
第３に、前記保持部材が、繰り出しカムの後端部内に設けた雌ねじ部と、前記保持部材の側面に設けた雄ねじ部とを着脱自在に螺着してあることを特徴とする。
【００１３】
前記第３の構成によれば、構造を複雑にすることなく、保持部材を着脱自在に装着することができ、結果的には、摩擦体が汚れた場合等、摩擦体を容易に交換することができる。
【発明の効果】
【００１４】
本発明は、組立性が良好な摩擦体を具備した回転繰出式筆記具を提供することができた。
【図面の簡単な説明】
【００１５】
【図１】実施形態１における回転繰出式筆記具を示す縦断面図である。
【図２】図１における一部省略した要部拡大縦断面図である。
【図３】図１における摺動ケースを示す外観図である。
【図４】図１における保持部材の装着前の状他を示す斜視外観図である。
【図５】筆記具用レフィルの拡大縦断面図である。
【発明を実施するための最良の形態】
【００１６】
次に図面を参照しながら、本発明の回転繰出式筆記具の実施形態を説明するが、本発明は以下の実施形態に限定されるものではない。
【００１７】
本発明の第１の実施の形態を図１〜図５に示す。
回転繰出式の筆記具１は、前軸２と後軸３とを連結筒４を介し、前軸２と、後軸３とを相対的に回転可能に連設した軸筒本体の内部に、前記した筆記具用レフィル２１と、該筆記具用レフィル２１とインキ色の異なる他の筆記具用レフィル３１とを保持する複数の摺動溝６Ｄを設けた摺動ケース６と、後軸３を前軸２に対して回動することで摺動ケース６の外周面上を回転可能な繰り出しカム５とを有し、前記摺動溝６Ｄに、カム係止突起７Ａを有する摺動体７が連接した筆記具用レフィル２１を、コイルスプリングからなる弾性体１０より前軸２の前端開口部２Ａと反対側の後方へ付勢して配し、他の摺動溝に、カム係止突起８Ａを有する摺動体８が連接した他の筆記具用レフィル３１を、コイルスプリングからなる弾性体１１により前軸２の前端開口部２Ａと反対側の後方へ付勢して配している、従来から知られている回転繰出式の筆記具であって、前軸２を連結筒４から取り外すことで、筆記具用レフィル２１，３１を交換することができる。
【００１８】
前記繰り出しカム５は、カム斜面の前端に凹溝５Ａを形成してあり、摺動体７のカム係止突起７Ａをカム斜面に当接して、繰り出しカム５の回転に伴い、カム係止突起７Ａがカム斜面に沿って移動し、前記凹溝５Ａに係止することで、摺動体７を装着した筆記具用レフィル２１のペン先２３または摺動体８を装着した他の筆記具用レフィル３１のペン先３３を、前筒２の前端開口部２Ａから出没できるようにしてある。
【００１９】
前記摺動体７は、前端部に連接部７Ｂを備えている。前記連接部７Ｂは、図示はしっていないが、筆記具用レフィル２１の尾栓２６内に挿通する軸部と、当該軸部の前端部に設けた膨出部とを有している。また、前記膨出部は、球状体の前端部及び対峙する側面を切り落とした形状としてある。
【００２０】
また、後軸３の後端部には、真鍮製の保持部材１１を、繰り出しカム５の後端部内に設けた雌ねじ部５Ｂと、保持部材１１の前端部側面に設けた雄ねじ部１１Ｂとを、保持部材１１の後端が、後軸３の後方に位置するように螺着してある。また、保持部材１１にはポリエステル系エラストマーからなるゴム状弾性体の摩擦体１３を、保持部材１１の内方突起部に摩擦体１３の装着部に設けた外方突起部を乗り越し嵌合することによって装着してある。この摩擦体１３を筆記面に圧接し、擦ることで発生する熱によって、熱変色性インキの筆跡を熱消色又は熱変色させることができる。また、摩擦体１３の外側には、頭冠１２を保持部材１１の雄ねじ部に頭冠１２内面の雌ねじ部とを着脱自在に螺着してある。また、後軸１３の後端部には、後軸１３と保持部材１１間に固定したクリップ１４を装着し、保持部材１１の雄ねじ部１１Ｂには、弾性体からなるＯリング１４を装着して、頭冠１２のねじの緩みを抑制してある。
【００２１】
さらに、前記繰り出しカム５と摺動ケース６は、前記繰り出しカム５内に設けた内向突起５Ａを、前記摺動ケース６の後端部に設けた延設部６Ａの外向突起６Ｂが乗り越えて、前記摺動ケース６に対し、前記繰り出しカム５を回動自在に配設してある。また、前記摺動ケース６の後端部から後方に延設した延設部６Ａには、後端から長手方向に沿って延びるスリット６Ｃを設けてあり、前記延設部６Ａの外向突起６Ｂが繰り出しカム５内に設けた内向突起５Ａを乗り越える際、内側に撓み易くしてあるため、容易に乗り越し嵌合することができる。
【００２２】
また、前記保持部材１１の前端部には、前方に延設した、保持部材１１の前端部及び摺動ケース６の延設部６Ａ内径よりも小径の挿入部１１Ａを設けてあり、この挿入部１１Ａを前記摺動ケース６の延設部６Ａ内に挿通して、前記繰り出しカム５の後端部内に設けた雌ねじ部５Ｂと、前記保持部材１１の前端部側面に設けた雄ねじ部１１Ｂとを螺着してあるため、繰り出しカム５と摺動ケース６が嵌合した後には、保持部材１１の挿入部１１Ａによって、摺動ケース６の延設部６Ａが内側に撓むことを防止している。
【００２３】
尚、摺動ケース６は連結筒４に固着してあり、繰り出しカム５は、繰り出しカム５の後端に設けた凸部５Ｃを、クリップ１４の凹み部１４Ａを介し、後軸３の後端部開口部に設けた凹部３Ａに凹凸嵌合し回転を抑制し、保持部材１１を螺着して、繰り出しカム５を後軸３に固定してあるため、後軸３を前軸２に対して回動する際、後軸３と繰り出しカム５を一体的に回動することができる。
【００２４】
前記筆記具用レフィル２１は、ペン先２３、と、該ペン先２３の後端部２３Ｂが前端部２５Ａに圧入固着されたペン先ホルダー２５と、該ペン先ホルダー２５の後端部２５Ｂが前端部２２Ａに圧入固着されるインキ収容筒２２とを具備している。また、インキ収容筒２２の後端部２２Ｂには、尾栓２６の前端部２６Ａが圧入固着されている。
【００２５】
前記ペン先２３は、ペン先前端部２３Ａのボール抱持室に、回転可能にボール２４が抱持されているボールペンチップからなり、ボール２４の後方には、前記ボール２４を常時、ペン先前端部の内壁に押圧するコイルスプリング２９を配設してある。
【００２６】
前記ペン先ホルダー２５は、透明合成樹脂（ポリプロピレン樹脂）で形成され、ペン先ホルダー２５の後端部２５Ｂは、略同外径の筒状体となっていて、ペン先２３とインキ収容筒２２間において、ペン先ホルダー２５を通じ、筆記具用インキ２７を外部から視認可能としてある。
【００２７】
前記尾栓２６は、不透明合成樹脂（ポリアセタール樹脂）で形成され、インキ収容筒２２の後端部２２Ｂ内に挿通する前端部２６Ａと、前記インキ収容筒２２の後方に位置する後端部２６Ｂとを有している。
【００２８】
前記インキ収容筒２２は、ステンレス鋼（ＳＵＳ３０４）からなる両端が開口された円筒体の金属パイプである。当該インキ収容筒２２の前端部２２Ａには、インキ収容筒２２の内側に向かって突出する突部２２Ｃを周設してある。インキ収容筒２２の後端部２２Ｂには、インキ収容筒２２の内側に向かって突出する突起部２２Ｄを周方向の異なる２箇所に設けてある。
【００２９】
前記インキ収容筒２２の内部、ペン先ホルダー２５の内部、ペン先２３内部には、黒色の熱変色性インキ２７が収容される。また、前記インキ収容筒２２内には、前記熱変色性の筆記具用インキ２７の後端に配置され且つインキ消費に伴い前進する高粘度流体からなるインキ追従体２８が収容される。
【００３０】
前記筆記具用レフィル２１は、尾栓２６の後端部２６Ｂ内に設けた乗り越し突部を、前記摺動体７の連接部７Ｂに設けた膨出部が乗り越すことによって、着脱自在に連接し、前記摺動体７と筆記具用レフィル２１を連動して摺動するように配してある。尚、前記膨出部２７Ｂは尾栓２６に対し揺動可能とし、摺動体７の突片７Ｃによって、過剰な傾きを抑制してある。
【００３１】
さらに筆記具用レフィル２１について詳述すると、インキ収容筒２２の前端部２２Ａに、φ０．５ｍｍのボール２４を回転自在に抱持したボールペンチップからなるペン先２３を、ペン先ホルダー２５を介して装着してある。また、インキ収容筒２２内には、平均粒径が０．５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の熱変色性の筆記具用インキ２７と、このインキの後端に、インキ追従体２８を直に収容してある。尚、インキ粘度は、ＥＭ型回転粘度計における１００ｒｐｍ、４０〜２００ｍＰａ・ｓ（２５℃）とすることが好ましい。
【００３２】
前記筆記具用レフィル２１の製造方法は、予め製作してあったボールペンチップからなるペン先２３の後端部２３Ｂをペン先ホルダー２５の前端部２５Ａに圧入装着し、次に前記インキ収容筒２２の前端部２２Ａに、前記ペン先ホルダー２５の後端部２５Ｂを圧入装着する。
【００３３】
さらにインキ収容筒２２内に熱変色性の筆記具用インキ２７及びインキ追従体２８を収容した後、インキ収容筒２２の後端部２２Ｂに尾栓２６の前端部２６Ａを挿通する。その後、前記インキ収容筒２２の前端部に、外側から内側に向かって空気冷却しながら押圧加工を施し、前記インキ収容筒２２の内側に向かって突出する突部２２Ｃを周設して、ペン先ホルダー２５の抜け力を高めるとともに、インキ収容筒２２とペン先ホルダー２５間からのインキ漏れを抑制している。また、前記インキ収容筒２２の後端部も外側から内側に向かって押圧加工を施し、前記インキ収容筒２２の内側に向かって突出する突起部２２Ｄを周方向の異なる２箇所に設け、尾栓２６を装着し、抜け力を高めてある。最後に筆記具用レフィル２１を遠心脱泡の処理を行い、熱変色性筆記具用レフィルからなる筆記具用レフィル２１を得ている。
【００３４】
前記尾栓２６の外形形状は特に限定されないが、尾栓２６の後端部２６Ｂの外径をインキ収容筒２２の外径と同径以下とすることで、筆記具用レフィル２１を軸筒内に挿通し易くなるので好ましい。
【００３５】
尚、本発明におけるインキ収容筒、軸筒、保持部材には、例えば、ステンレス鋼、アルミニウム、アルミニウム合金、銅、銅合金、チタン、チタン合金、ニッケル、ニッケル合金、鉄、鉄合金等の金属製の材料やポリプロピレン樹脂、ポリアセタール樹脂、ポリカーボネート樹脂等の合成樹脂が挙げられ、インキ収容筒には、遮光性、ガス透過性を考慮すると金属製の材料が好ましく、コスト、耐食性を考慮するとステンレス鋼が好ましい。保持部材も摺動ケースの外れ防止効果を高めるために金属製の材料とすることが好ましい。
【００３６】
また、本発明における尾栓、摺動体、ペン先ホルダーには、例えば、ポリプロピレン樹脂、ポリアセタール樹脂、アクリルニトリルスチレン樹脂等の合成樹脂製の材料が挙げられ、摺動性等を考慮するとポリアセタール樹脂が好ましく、ペン先ホルダーには、透明性やインキのビジブル性など考慮するとポリプロピレンが好ましい。
【００３７】
また、筆記具用インキは、可逆熱変色性インキとすることが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００３８】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００３９】
また、前記した摩擦体には、弾性感に富み、摩擦時に適度な摩擦を生じて摩擦熱を発生させることのできるゴム、エラストマー等のゴム状弾性体が好適である。具体的には、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。また、摩擦体は、後軸と一体に形成又は別部材にて装着してあってもよい。尚、消しゴムを使用して筆跡を摩擦することもできるが、摩擦時に消しカスが発生するため、好ましくは前述のような摩擦体が用いられ、前記摩擦体の材質としては、シリコーン樹脂やＳＥＢＳ樹脂（スチレンエチレンブタジエンスチレンブロック共重合体）が好適に用いられる。
【００４０】
また、本実施形態では、便宜上、ペン先としてボールペンチップを用いたボールペンレフィルを例示しているが、筆記具用レフィルには、例えば、マーキングペン等が挙げられる。また、本実施形態では、前軸と後軸とを連結筒を介して回動自在に連結してあるが、前軸と後軸との連結構造は特に限定されるものではなく、前軸の前端部に口金を装着する構造等、従来から回転繰出式の多芯筆記具として知られている軸筒構造を適宜選択して用いることができる。
【００４１】
本実施形態では、便宜上、回転操作により、ペン先を軸筒前端開口部から選択的に出没させる多芯筆記具の機構を例示しているが、単芯であってもよい。また、軸筒内に色の異なる２本の熱変色性筆記具用レフィルからなる筆記具用レフィルを収容した多芯筆記具を例示しているが、筆記具用レフィルを３本以上、油性ボールペンレフィルや水性ゲルインキボールペンレフィル、シャープペンシルなど、異なる筆記具用レフィルを組合せて用いることもできる。
【産業上の利用可能性】
【００４２】
本発明の回転繰出式の筆記具は、熱変色性、筆記具用レフィルを着脱自在に連接した多芯筆記具として広く実施可能である。
【符号の説明】
【００４３】
１  回転繰出式筆記具
２  前軸
２Ａ  前端開口部
３  後軸
３Ａ  凹部
４  連結筒
５  繰り出しカム
５Ａ  内方突起
５Ｂ  雌ねじ部
５Ｃ  凸部
６  摺動ケース
６Ａ  延設部
６Ｂ  外方突起
７、８  摺動体
７Ａ  カム係止突起
７Ｂ  連接部
７Ｃ  軸部
７Ｄ  膨出部
７Ｅ  突片
７Ｆ  段部
９、１０  弾性体
１１  保持部材
１１Ｂ  雄ねじ部
１２  頭冠
１３  摩擦体
１４  クリップ
２１、３１  筆記具用レフィル
２２、３２  インキ収容筒
２２Ａ、３２Ａ  前端部
２２Ｂ、３２Ｂ  後端部
２２Ｃ、３２Ｃ  突部
２２Ｄ、３２Ｄ  突起部
２３、３３  ペン先
２４、３４  ボール
２５、３５  ペン先ホルダー
２６、３６  尾栓
２６Ａ  前端部
２６Ｂ  後端部
２７、３７  筆記具用インキ
２８、３８  インキ追従体
２９、３９  コイルスプリング
【図１】
2015033773.tif 000003
【図２】
2015033773.tif 000004
【図３】
2015033773.tif 000005
【図４】
2015033773.tif 000006
【図５】
2015033773.tif 000007